(57)【要約】【課題】  押釦保護カバーを壊さずに報知装置のスイッチ押釦の点検作業ができ、しかも点検作業が専用の工具を用いたりすることなく簡単かつ迅速にできるようにする報知装置における押釦保護カバーの取付構造及びそれを備えた報知装置を提供する。【解決手段】  押釦保護カバー８の取付構造Ｔ１は、ガイド部材１と、ガイド部材１に対してスライド可能なスライド部材２を備えている。ガイド部材１はフランジ部１０の裏面側を押釦ユニット９１と合わせて一体化してある。フランジ部１０の前部側には、スライド部材２が案内溝１２に案内されて上下方向にスライド可能に取り付けてある。スライド部材２には貫通穴２１，２２が上下二箇所に形成してあり、上部の貫通穴２１の前面側には押釦保護カバー８が設けられている。【選択図】        図１
2005316901.tif 000002
【特許請求の範囲】
【請求項１】
報知装置のスイッチ押釦を保護すべく設けられる押釦保護カバーの取付構造であって、
押釦保護カバーがスイッチ押釦に対応した位置から移動し、当該押釦保護カバーを破壊することなく外部からスイッチ押釦を直接押すことができるよう構成してあることを特徴とする、
報知装置における押釦保護カバーの取付構造。
【請求項２】
報知装置のスイッチ押釦を保護すべく設けられる押釦保護カバーの取付装置であって、
案内手段と、
上記案内手段に案内されるよう設けられ、ケースの内面に沿って移動可能な移動部材と、
を備え、
上記移動部材は、押釦保護カバーが着脱可能に装着される装着部を有しており、押釦保護カバーがスイッチ押釦に対応した位置から移動したときに、当該押釦保護カバーを破壊することなく外部からスイッチ押釦を直接押すことができるよう構成してあることを特徴とする、
報知装置における押釦保護カバーの取付構造。
【請求項３】
報知装置のスイッチ押釦を保護すべく設けられる押釦保護カバーの取付構造であって、
スイッチ押釦は報知装置の内部で動く押釦ユニットに設けられており、押釦ユニットは報知装置の内部で動かすことで押釦保護カバーと離れて、当該押釦保護カバーを破壊することなくスイッチ押釦を直接押すことができるよう構成してあることを特徴とする、
報知装置における押釦保護カバーの取付構造。
【請求項４】
請求項１，２または３記載の押釦保護カバーの取付構造を備えたことを特徴とする、
報知装置。
【発明の詳細な説明】
【技術分野】
【０００１】
本発明は、報知装置における押釦保護カバーの取付構造及びそれを備えた報知装置に関する。
更に詳しくは、押釦保護カバーを壊さずに報知装置のスイッチ押釦の点検作業ができ、しかも点検作業が専用の工具を用いたりすることなく簡単かつ迅速にできるようにするものに関する。
【背景技術】
【０００２】
学校や公共の施設等の建物には、火災や災害等を報知する報知装置が備え付けられている。報知装置のスイッチ押釦には、前方に保護用の合成樹脂製の押釦保護カバーが設けられており、簡単に操作されないようにしてある。
【０００３】
報知装置には定期的な点検作業の実施が義務づけられている。報知装置での点検作業は、押釦保護カバーを強く押して圧壊し、実際にスイッチ押釦を押して作動させたり、スイッチ押釦の側方に内部に通ずる点検用の点検穴が形成してあるもの（特許文献１参照）では、この点検穴から専用の工具を内部に差し込んで、工具の先端側でスイッチ押釦を押したりして行われている。
【０００４】
【特許文献１】実開昭６３−４８２９２号公報
【発明の開示】
【発明が解決しようとする課題】
【０００５】
しかし、上記した報知装置による点検作業には、次のような課題があった。
即ち、押釦保護カバーを圧壊する場合では、点検終了後に押釦保護カバーを新しいものに交換しなければならなかった。この場合、通常、押釦保護カバーは、外部から容易に外すことができないよう取り付けられているので、交換にあたっては報知装置のスイッチ押釦周辺を分解及び組み立てをしなければならず、作業が大掛かりになっていた。
【０００６】
また、点検穴を有するものでは、押釦保護カバーの交換は必要ないが、点検穴から専用の工具を差し込んで、いわば手探り状態で先端側をスイッチ押釦に当てるようにして押さなければならないので、迅速な作業が困難であるという課題があった。
【０００７】
本発明の目的は、押釦保護カバーを壊さずに報知装置のスイッチ押釦の点検作業ができ、しかも点検作業が専用の工具を用いたりすることなく簡単かつ迅速にできるようにする、報知装置における押釦保護カバーの取付構造及びそれを備えた報知装置を提供することにある。
【課題を解決するための手段】
【０００８】
上記目的を達成するために本発明が講じた手段は次のとおりである。
第１の発明にあっては、
報知装置のスイッチ押釦を保護すべく設けられる押釦保護カバーの取付構造であって、
押釦保護カバーがスイッチ押釦に対応した位置から移動し、当該押釦保護カバーを破壊することなく外部からスイッチ押釦を直接押すことができるよう構成してあることを特徴とする、
報知装置における押釦保護カバーの取付構造である。
【０００９】
第２の発明にあっては、
報知装置のスイッチ押釦を保護すべく設けられる押釦保護カバーの取付装置であって、
案内手段と、
上記案内手段に案内されるよう設けられ、ケースの内面に沿って移動可能な移動部材と、
を備え、
上記移動部材は、押釦保護カバーが着脱可能に装着される装着部を有しており、押釦保護カバーがスイッチ押釦に対応した位置から移動したときに、当該押釦保護カバーを破壊することなく外部からスイッチ押釦を直接押すことができるよう構成してあることを特徴とする、
報知装置における押釦保護カバーの取付構造である。
【００１０】
第３の発明にあっては、
報知装置のスイッチ押釦を保護すべく設けられる押釦保護カバーの取付構造であって、
スイッチ押釦は報知装置の内部で動く押釦ユニットに設けられており、押釦ユニットは報知装置の内部で動かすことで押釦保護カバーと離れて、当該押釦保護カバーを破壊することなくスイッチ押釦を直接押すことができるよう構成してあることを特徴とする、
報知装置における押釦保護カバーの取付構造である。
【００１１】
第４の発明にあっては、
第１，第２または第３の発明に係る押釦保護カバーの取付構造を備えたことを特徴とする、
報知装置である。
【００１２】
本発明に係る押釦保護カバーの取付構造は、当該押釦保護カバー自体が移動するものも含む。
【００１３】
（作  用）
本発明に係る押釦保護カバーの取付構造によれば、押釦保護カバーをスイッチ押釦に対応した位置から移動させることができる。従って、押釦保護カバーを破壊することなく外部からスイッチ押釦を直接押すことができる。
【００１４】
案内手段と移動部材を備えたものは、移動部材をケースの内面に沿って移動させて、装着部に装着した押釦保護カバーをスイッチ押釦に対応した位置から移動させることができる。従って、押釦保護カバーを破壊することなく外部からスイッチ押釦を直接押すことができる。
【００１５】
本発明に係る押釦保護カバーの取付構造によれば、押釦ユニットを報知装置の内部で動かして押釦保護カバーから離すことができる。従って、押釦保護カバーを破壊することなくスイッチ押釦を直接押すことができる。
【発明の効果】
【００１６】
本発明によれば、押釦保護カバーを壊さずにスイッチ押釦を直接押して点検ができる。従って、点検終了後に押釦保護カバーを新しいものに交換することがない。しかも点検に際し、専用の工具等を使うこともないので、作業は簡単かつ迅速にできる。
【発明を実施するための最良の形態】
【００１７】
本発明の実施の形態を図面に基づき更に詳細に説明する。
図１は本発明に係る押釦保護カバーの取付構造の第１の実施の形態を示す斜視説明図、
図２は図１に示す押釦保護カバーの取付構造を有する報知装置を示す使用状態斜視説明図、
図３は図１に示す押釦保護カバーの取付構造を拡大した分解斜視説明図、
図４は図１に示す状態から押釦ユニットを水平方向に回動させて、ロック機構部の掛合部を被掛合部に引っ掛けた状態を示す斜視説明図、
図５は図２に示す状態からスライド部材を上方向にスライドさせた状態を示す使用状態斜視説明図である。
【００１８】
押釦保護カバー８の取付構造Ｔ１は、ガイド部材１と、ガイド部材１に対して上下方向（昇降方向）にスライド可能（移動可能）な移動部材であるスライド部材２を備えている（図１，図３参照）。
【００１９】
符号９１は、報知装置Ｈのケース９の内部に設けられる押釦ユニット９１を示している。押釦ユニット９１は、前面側の周りにフランジ部９１０が設けてあり、このフランジ部９１０の内側に作動スイッチであるスイッチ押釦９１１が突出するように設けてある構造を有している（図３参照）。本実施の形態で示す押釦ユニット９１は、公知技術のものを使用したので詳細な説明は省略する。
【００２０】
ガイド部材１は、押釦ユニット９１を取り付けるためのフランジ部１０を備えている。フランジ部１０には、スイッチ押釦９１１を通す挿通孔１００が形成してある（図３参照）。
【００２１】
ガイド部材１は、フランジ部１０の裏面側を押釦ユニット９１のフランジ部９１０と合わせ、挿通孔１００からスイッチ押釦９１１を通した状態でビス等によって一体化してある。
【００２２】
フランジ部１０には、押釦ユニット９１のフランジ部９１０に取り付けたときに、スイッチ押釦９１１の四方を囲む有底箱形状の胴部１１が設けてある。胴部１１を構成する底壁部１１４には、スイッチ押釦９１１を通す挿通孔１１５が形成してある（図３参照）。
【００２３】
胴部１１を構成する左右の壁部１１０，１１２の先端側は、上下の壁部１１１，１１３の縁部よりやや延出して内方向に折り曲げてある。こうして上下の壁部１１１，１１３の縁部との間にスライド部材２のスライドを案内する案内手段である案内溝１２を形成している（図１，３参照）。胴部１１は、挿通孔１１５を挿通孔１００と合わせて取り付けてある。
【００２４】
胴部１１を構成する壁部１１２（図１，３では奥側）と報知装置Ｈの上部ケースカバー９０（後述）の裏面には蝶番９２（図１参照）が設けてあり、ガイド部材１及び押釦ユニット９１が水平方向に回動できるよう構成してある。ガイド部材１及び押釦ユニット９１は、上部ケースカバー９０の内外を貫通した操作穴９００を通して、外部からスイッチ押釦９１１が直接操作できる位置に設けてある。
【００２５】
また、胴部１１を構成する壁部１１０（図１，３では手前側）には、上部ケースカバー９０の裏面に固着してある被掛合部９３に引っ掛けて、ガイド部材１及び押釦ユニット９１の回動を固定するロック機構部１３が設けてある。ロック機構部１３はレバー１３０と掛合部１３１とを有する公知技術のものを使用したので詳細な説明は省略する。
【００２６】
胴部１１を構成する下の壁部１１３には、スライド部材２の位置を決める際に操作する操作部材１４が設けてある（図１，３参照）。操作部材１４は、幅狭の薄板材を略直角（略Ｌ形状）に折り曲げて、一方の辺部がロック機構部１３を設けた壁部１１０と略面一な状態で垂下するよう、他方の辺部を胴部１１の下の壁部１１３に固定してある（図では全体が見えない）。操作部材１４の垂下する辺部には、スライド部材２と当たる当接部１４０が前方（上部ケースカバー９０の方向）に突出して設けてある。操作部材１４のうち少なくとも垂下した辺部は可撓性またはバネ性を有し、スライド部材２と当たる当接部１４０と直交する方向に常時、弾性力をもっている。
【００２７】
スライド部材２は、ガイド部材１の胴部１１に形成された案内溝１２に、スライド可能に取り付けられるよう所要の厚みを有する長方形状の板体であるスライド部材本体２０を備えている。
【００２８】
スライド部材本体２０の長辺側の一方の側辺上端部には、胴部１１と当たってスライド部材２の下降状態を維持するストッパー部２００が外方に延出してある。
また、同じ側辺の中央よりやや下側には、スライド部材２が下降状態にあるときに、操作部材１４の当接部１４０を嵌めて配置する収容凹部２０１が切り欠いて形成してある。
更に、同じ側辺の下端部には、操作部材１４の当接部１４０が当たってスライド部材２の上昇状態を維持する掛合凹部２０２が切り欠いて形成してある。
収容凹部２０１と掛合凹部２０２との間には、スライド部材本体２０がスライドするときに当接部１４０が配置される移動凹部２０３が切り欠いて形成してある。移動凹部２０３の収容凹部２０１側と掛合凹部２０２側は、縁部に向かって拡がるよう斜めに切り欠いてあり、スライド部材本体２０のスライドによって当接部１４０を押して操作部材１４を撓ませ、自動的に収容凹部２０１や掛合凹部２０２に案内できるようにしてある（図４参照）。
【００２９】
スライド部材本体２０には、所要の径を有する貫通した貫通穴２１，２２が上下二箇所に形成してある。貫通穴２１，２２は、上部ケースカバー９０の操作穴９００と略同じ大きさに形成してある。
上部の貫通穴２１の前面側には、押釦保護カバー８を嵌める嵌合部材２３と、嵌合部材２３を挟んでスライド部材本体２０との間に取付溝２４を形成する溝形成部材２７が設けてある。
【００３０】
嵌合部材２３には、押釦保護カバー８を嵌めることができるようこの直径と略同じで、操作穴９００より大きな径となる周形状を一部に有する切欠部２３０が形成してある（図３参照）。
また、溝形成部材２７には、貫通穴２１と略同じ径となる周形状を一部に有する切欠部２７０が形成してある
嵌合部材２３と溝形成部材２７は、切欠部２３０と切欠部２７０を対応させ、貫通孔２１の周りに取付溝２４が形成され、かつ押釦保護カバー８が側方からスライドさせて取付溝２４に嵌合できるよう取り付けてある。
【００３１】
押釦保護カバー８は、側方からスライドして取付溝２４に嵌めることで装着される。押釦保護カバー８は、合成樹脂製の公知構造のものを使用したので、詳細な説明は省略する。
上記した貫通穴２２は、当接部１４０が掛合凹部２０２に配置された状態のときに、上部ケースカバー９０の操作穴９００と重なり合う位置に形成してある。
【００３２】
スライド部材本体２０の上部には、装着した押釦保護カバー８の周面の一部を押さえて取付溝２４でのずれを防止する押圧部材２５が設けてある。押圧部材２５は、可撓性を有する板バネ部２５０の先端に押圧部２５１を備えた形状を有している。スライド部材本体２０の押圧部２５１と対応する部分には、表面から裏面に貫通した貫通孔２６が形成してある。
【００３３】
スライド部材２は、下端側をガイド部材１の上方から胴部１１の案内溝１２に差し込んで、操作部材１４の当接部１４０が掛合凹部２０２や移動凹部２０３や収容凹部２０１に配置されるよう、また、ストッパー部２００が胴部１１と当たるようにガイド部材１に取り付けてある。
【００３４】
押釦保護カバー８の取付構造Ｔ１を有する報知装置Ｈはケース９を備えている。ケース９の上部側には、押釦ユニット９１を設けた上部ケースカバー９０が設けてある。また、その下部には、消火ホース等を収容するための収容部９５を構成する扉９４が設けてある。ケース９は、収容部９５の内部と上部ケースカバー９０の内部が連通した状態になっており、扉９４を開いて手を上部ケースカバー９０の裏側まで入れることが可能である。
【００３５】
（作  用）
図１ないし図５を参照して、本実施の形態で示す押釦保護カバー８の取付構造Ｔ１の作用を説明する。
【００３６】
押釦保護カバー８の取付構造Ｔ１は、図１に示す状態からガイド部材１と、これと一体に取り付けてある押釦ユニット９１とスライド部材２が、蝶番９２によって水平方向に回動し、ロック機構部１３の掛合部１３１を被掛合部９３に引っ掛けて、上部ケースカバー９０の裏面に固定された状態を維持するよう設定してある（図１，図４参照）。このときケース９の外部からは図２に示す状態に見える。
【００３７】
緊急時において報知装置Ｈを作動させるときは、上部ケースカバー９０の外部から押釦保護カバー８を強く押し、これを圧壊してスイッチ押釦９１１を押す。
【００３８】
押釦保護カバー８の取付構造Ｔ１において、スイッチ押釦９１１の点検は次のように行う。
まず、報知装置Ｈのケース９を構成する扉９４を開ける。ケース９は収容部９５の内部と上部ケースカバー９０の内部が連通しているので、手を収容部９５から上部ケースカバー９０の裏側に入れる。
【００３９】
そうして操作部材１４の垂下した辺部を探り当て、この辺部を外方に撓ませて変形させる（図４参照）。変形させることにより操作部材１４の当接部１４０が、収容凹部２０１内に配置されていた状態から解除され、スライド部材２が上方向にスライド可能な状態になる。スライド部材２のスライド操作は、操作部材１４を操作した側の手で行うこともできるし、他方の手で行うこともできる。
【００４０】
操作部材１４を変形させた状態でスライド部材２を案内溝１２に沿って上方向にスライドさせる。スライド部材２のスライドにより当接部１４０が移動凹部２０３と対応する位置にきた場合では、操作部材１４を撓ませていた手を離しても良い。操作部材１４は、可撓性またはバネ性を有しているので手を離すことで元の状態に戻る。
【００４１】
当接部１４０が移動凹部２０３内に配置された場合では、そのままスライド部材２をスライドすることにより、当接部１４０は斜めに形成してある部分と当たって自動的に撓むよう案内され、掛合凹部２０２と対応する位置にきたときに元の状態に戻って掛合凹部２０２に配置される。
【００４２】
当接部１４０が掛合凹部２０２に配置された場合では、スライド部材２は上方向にスライドした位置で停止状態となる。この状態でスライド部材２は、貫通穴２１が配置されていた高さの位置に貫通穴２２が配置されており、上部ケースカバー９０の操作穴９００と重なっている。この状態で押釦ユニット９１のスイッチ押釦９１１は、操作穴９００を介して露出している。このときケース９の外部からは、図５に示す状態に見える。従って、操作穴９００から直接スイッチ押釦９１１を押して点検作業ができる。
【００４３】
このように押釦保護カバー８の取付構造Ｔ１によれば、押釦保護カバー８を壊すことなくスイッチ押釦９１１の点検ができる。従って、点検終了後に押釦保護カバー８を新しいものに交換することがない。しかも点検に際し、専用の工具等を使うこともなく、スライド部材２をスライドさせるだけで良いので、作業は簡単かつ迅速にできる。
【００４４】
点検終了後は、再び、操作部材１４の垂下した辺部を外方に撓ませて変形させ、当接部１４０の掛合凹部２０２に配置されていた状態を解除する。これによりスライド部材２は停止状態が解除されて案内溝１２に沿って下方向にスライドする。スライドしたスライド部材２は、ストッパー部２００が胴部１１と当たり、当接部１４０が収容凹部２０１内に配置され、操作穴９００に押釦保護カバー８が配置された状態で停止する。こうしてまた、スイッチ押釦９１１が押釦保護カバー８によって保護された状態となる。
【００４５】
なお、押釦保護カバー８の交換は、上部ケースカバー９０の内部に手を入れて図１に示すようにロック機構部１３の掛合状態を解除し、水平方向に回動させることで簡単にできる。押釦保護カバー８の交換は、スライド部材を上方向にスライドさせた状態で行う方が作業がし易いが、下降した状態でも交換可能である。
【００４６】
本実施の形態でスライド部材は、上下方向にスライドするものを示したが、これも限定するものではなく、例えば、横方向にスライドするものや、周方向（回転方向、回動方向）に移動するものが使用できる。
【００４７】
図６は本発明に係る押釦保護カバーの取付構造の第２の実施の形態を示す分解斜視説明図である。
なお、図６において上記図１ないし図５で示したものと同一または同等箇所には同一の符号を付して示している。また、以下の説明において構造について上記で示した箇所と重複する説明は、必要な事項を除き省略する。
【００４８】
押釦保護カバー８の取付構造Ｔ２は、上部ケースカバー９０の裏面に固定してあり、押釦保護カバー８を取り付ける押釦保護カバー取着部材５と、押釦ユニット９１を報知装置の内部で水平方向に回動させる回動部材６を備えている。
【００４９】
押釦保護カバー取着部材５は、上部ケースカバー９０の裏面に固着してある固着部材５０と、押釦保護カバー８を嵌める嵌合部材５１と、嵌合部材５１を挟んで固着部材５０との間に取付溝５３を形成する溝形成部材５２が設けてある。
【００５０】
固着部材５０には、所要の径を有する貫通した貫通穴５００が形成してある。貫通穴５００は、上部ケースカバー９０の操作穴９００と略同じ大きさに形成してある。
嵌合部材５１には、押釦保護カバー８を嵌めることができるようこの直径と略同じで、操作穴９００より大きな径となる周形状を一部に有する切欠部５１０が形成してある。
溝形成部材５２には、貫通穴５００と略同じ径となる周形状を一部に有する切欠部５２０が形成してある
嵌合部材５１と溝形成部材５２は、切欠部５１０と切欠部５２０を対応させ、貫通孔５００の周りに取付溝５３が形成され、かつ押釦保護カバー８が上方からスライドさせて取付溝５３に嵌合できるよう取り付けてある。
【００５１】
更に、溝形成部材５２の一方の側部（図では奥側）には、蝶番７を取り付けるための壁部５２１が形成してある。また、溝形成部材５２の他方の側部（図では手前側）には、回動部材６に設けてあるロック機構部６２と掛合する被掛合部５２３を設けるための壁部５２２が形成してある。壁部５２２の外面には上記被掛合部５２３が設けてある。
【００５２】
回動部材６は、押釦ユニット９１を取り付けるためのフランジ部６０を備えている。フランジ部６０には、スイッチ押釦９１１を通す挿通孔６００が形成してある。また、フランジ部６０の一方の側部（図では手前側）には、ロック機構部６２を設けるための壁部６０１が形成してある。壁部６０１の外面にはロック機構部６２が設けてある。
【００５３】
回動部材６は、フランジ部６０の裏面側を押釦ユニット９１のフランジ部９１０と合わせ、挿通孔６００からスイッチ押釦９１１を通した状態でビス等によって一体化してある。
【００５４】
フランジ部６０には、押釦ユニット９１のフランジ部９１０に取り付けたときに、スイッチ押釦９１１の四方を囲む有底箱形状の胴部６１が設けてある。胴部６１を構成する底壁部６１０には、スイッチ押釦９１１を通す挿通孔６１１が形成してある。
【００５５】
回動部材６は、フランジ部６０の他方の側部（図では奥側）と、壁部５２１との間に蝶番７を設けて、押釦保護カバー取着部材５に対して水平方向に回動可能に設けてある。
【００５６】
回動部材６及び押釦ユニット９１は、ロック機構部６２の掛合部６２０を被掛合部５２３に引っ掛けて固定した状態のときに、上部ケースカバー９０の内外を貫通した操作穴９００を通して、外部からスイッチ押釦９１１が操作できる位置に設けてある。
【００５７】
（作  用）
押釦保護カバー８の取付構造Ｔ２において、スイッチ押釦９１１の点検は、次のように行う。
まず、ケース９の収容部９５から上部ケースカバー９０の内部に手を入れてロック機構部６２の掛合状態を解除する。そして、回動部材６及び押釦ユニット９１を水平方向に回動させることによってスイッチ押釦を露出させる。こうしてケースの内部でスイッチ押釦を押す。
【００５８】
このように押釦保護カバー８の取付構造Ｔ２の場合も、押釦保護カバー８を壊すことなくスイッチ押釦９１１の点検ができる。従って、点検終了後に押釦保護カバー８を新しいものに交換することがない。しかも点検に際し、専用の工具等を使うこともないので、作業は簡単かつ迅速にできる。
【００５９】
なお、押釦保護カバー８の取付構造Ｔ２は、上部ケースカバー９０の裏面に固着した押釦保護カバー取着部材５に代えて、上記第１の実施の形態で示すスライド部材２を備えたような構造のものにすることもできる。
【００６０】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００６１】
【図１】本発明に係る押釦保護カバーの取付構造の第１の実施の形態を示す斜視説明図。
【図２】図１に示す押釦保護カバーの取付構造を有する報知装置を示す使用状態斜視説明図。
【図３】図１に示す押釦保護カバーの取付構造を拡大した分解斜視説明図。
【図４】図１に示す状態から押釦ユニットを水平方向に回動させて、ロック機構部の掛合部を被掛合部に引っ掛けた状態を示す斜視説明図。
【図５】図２に示す状態からスライド部材を上方向にスライドさせた状態を示す使用状態斜視説明図。
【図６】本発明に係る押釦保護カバーの取付構造の第２の実施の形態を示す分解斜視説明図。
【符号の説明】
【００６２】
Ｈ  報知装置
Ｔ  取付構造
１  ガイド部材
１０  フランジ部
１１  胴部
１１０，１１１，１１２，１１３  壁部
１２  案内溝
１３  ロック機構部
１３０  レバー
１３１  掛合部
１４  操作部材
１４０  当接部
２  スライド部材
２０  スライド部材本体
２００  ストッパー部
２０１  収容凹部
２０２  掛合凹部
２０３  移動凹部
２１  貫通穴
２２  貫通穴
２３  嵌合部材
２３０  切欠部
２４  取付溝
２５  押圧部材
２５０  板バネ部
２５１  押圧部
２６  貫通孔
２７  溝形成部材
２７０  切欠部
５  押釦保護カバー取着部材
５０  固着部材
５００  貫通孔
５１  嵌合部材
５１０  切欠部
５２  溝形成部材
５２０  切欠部
５２１  壁部
５２２  壁部
５２３  被掛合部
６  回動部材
６０  フランジ部
６００  挿通孔
６０１  壁部
６１  胴部
６１０  底壁部
６１１  挿通孔
６２  ロック機構部
６２０  掛合部
８  押釦保護カバー
９  ケース
９０  上部ケースカバー
９００  操作穴
９１  押釦ユニット
９１０  フランジ部
９１１  スイッチ押釦
９２  蝶番
９３  被掛合部
９４  扉
９５  収容部
【図１】
2005316901.tif 000003
【図２】
2005316901.tif 000004
【図３】
2005316901.tif 000005
【図４】
2005316901.tif 000006
【図５】
2005316901.tif 000007
【図６】
2005316901.tif 000008